【事件の表示】
　特願２００１−１０６５２１「遊技媒体貸出装置および遊技媒体貸出システム」拒絶査定不服審判事件〔平成１４年１０月１５日出願公開、特開２００２−３０１２６０〕について、次のとおり審決する。
【結　論】
　本件審判の請求は、成り立たない。
【理　由】
１　手続の経緯
　本願は、平成１３年４月４日の出願であって、平成１６年１月９日付で拒絶査定がなされ、これに対し、同年２月１９日に拒絶査定に対する審判が請求され、平成１９年６月８日付で通知された当審の拒絶理由に対して、同年８月１０日付で手続補正がなされたものである。
　
２　本願発明
　本願の請求項１乃至６に係る発明は、平成１９年８月１０日付手続補正書の特許請求の範囲の請求項１乃至６に記載された事項により特定されるとおりのものと認められるところ、その請求項１に係る発明（以下、「本願発明」という）は、次のとおりのものである。
　
　「記録媒体を受け入れ、該受け入れた記録媒体によって特定される有価価値に基づいて遊技媒体を遊技機に対して投出する遊技媒体貸出装置において、
　少なくとも２種類の第１及び第２の記録媒体を共通の挿入口を介して受け入れて、これら第１及び第２の記録媒体に記録された記録データを読み取る記録媒体データ読取手段と、
　受け入れられた記録媒体の種類を判定する種類判定手段と、
　貨幣を受け付けて金種を判定する貨幣受付手段と、
　前記第１の記録媒体に記録されるデータに関連づけて有価価値を記憶する第１の有価価値記憶手段と、前記第２の記録媒体に記録されるデータに関連づけて有価価値を記憶する第２の有価価値記憶手段を有する管理装置と通信する通信手段と、
　受け付けた記録媒体が前記種類判定手段によって第１の記録媒体であると判定されると、前記管理装置の第１の有価価値記憶手段から有価価値を呼び出し、第２の記録媒体であると判定されると、前記管理装置の第２の有価価値記憶手段から有価価値を呼び出して、該呼び出された有価価値を使用して玉貸し処理を行うとともに、
　受け付けた記録媒体が前記種類判定手段によって第１の記録媒体であると判定された状態で前記貨幣受付手段が貨幣を受け付けると、前記管理装置の第１の有価価値記憶手段に記憶される有価価値を前記貨幣価値分加算更新させ、第２の記録媒体であると判定された状態で前記貨幣受付手段が貨幣を受け付けると、前記管理装置の第２の有価価値記憶手段に記憶される有価価値を前記貨幣価値分加算更新させる制御手段と、
　を備えることを特徴とする遊技媒体貸出装置。」
　
３　引用例
　当審で通知した拒絶の理由に引用した、特開２００１−１７７１８号公報（以下、「引用例１」という）には、図面とともに、以下の事項が記載されている。
　
　（ア）「【００５３】この本実施例１のカードユニット３の構成を説明すると、図６に示すように、前記動作ランプ１０、前記処理中ランプ１２、前記各インジケータ９，１１，１２に加えて、前記ＩＣカード挿入口５に連設され、挿入されるＩＣカード３７記録されている各種データの読み出し並びに新たな各種データの書き込みを行うＩＣカードリーダライタ４５と、前記硬貨投入口４に連設されて投入硬貨の検出、識別を行う硬貨識別ユニット４９と、前記紙幣挿入口７に連設されて投入紙幣の検出および識別を行う紙幣識別ユニット４６と、前記投入された貨幣の合計金額や、前記挿入されたＩＣカード３７から読み出しおよび書き込まれる各種情報データ等を記憶するとともに、カードユニット制御部であるＭＰＵ５０が実行する制御内容等が記述された制御プログラム等を記憶する記憶部５２と、通信ケーブル４８を介して管理コンピュータやサービス端末等の外部機器とのデータ通信を行うための通信部４７と、これら各部の制御等を行うとともに前記合計金額の算出を行う前記ＭＰＵ５０と、を具備しており、これら各部は図６に示すように接続されていて、会員カードまたはビジターカード（プリペイドカ−ド）の双方が使用可能とされているとともに、投入金額に基づくプリペイド残額を、挿入されているＩＣカード３７より読み出したプリペイド残額に加算して新たなプリペイド残額を算出し、該新たなプリペイド残額を該ＩＣカード３７に記録する追加入金処理が可能とされている。」
　（イ）「【００５５】これら本実施例１において使用されるＩＣカード３７は、前述のように、図１に示す遊技島１の端部に設置された発行装置１３により購入されるプリペイドカード（ビジタ−カ−ド）と、特定の会員に予め発行された会員カ−ドの２種類があり、これら各ＩＣカード３７にはその種別を判別できるように種別データが記録されていて、前記ＩＣカ−ド挿入口５への挿入時において該種別データが前記ＩＣカードリーダライタ４５により読み出されることで、挿入されたＩＣカード３７の種別が特定されるようになっていて、該種別情報がＭＰＵ５０より前記持点制御用マイクロコンピュータ５５に出力されて、前述のようにこれら各種別情報に基づきその種別に対応する各段表示部が起動されるようになっている。」
　（ウ）「【００５８】以下、本実施例１の遊技機である前記パチンコ台２の動作状況について説明すと、まず遊技者が遊技を行う際には、前記発行装置１３にて購入したプリペイドカード（ビジターカード）またはプリペイド残額または貯蓄持点が残存する会員カードのいずれかを、前記カードユニット３のＩＣカード挿入口５に挿入する。
【００５９】例えばプリペイドカード（ビジターカード）を挿入した場合には、該ビジターカードの挿入により該ビジターカードの種別情報とともに該ビジターカードであるＩＣカード３７に記録されているプリペイド残額データおよび景品持点データが読み出されて、前記記憶部５２に記憶されるとともに前記ＭＰＵ５０より前記持点用制御マイクロコンピュータ５５に出力され、該持点用制御マイクロコンピュータ５５が前述のように前記表示操作制御マイコン５８にこれらプリペイド残額データおよび景品持点データを出力することにより、これら各デ−タがプリペイド残高表示部１０６並びに景品持点表示部１０８に表示され、プリペイドカード（ビジターカード）に対応する上段操作部６０が起動され、貸出可能であることを遊技者に報知する前記貸出用ＬＥＤ１０３が点灯される。
【００６０】遊技者は、これらプリペイド残高表示部１０６並びに景品持点表示部１０８の表示並びに貸出用ＬＥＤ１０３の点灯を確認することで、上段操作部６０の起動を認知し、該点灯された貸出用ＬＥＤ１０３に対応する貸出ボタン１０１を操作することにより、所定数の持点（本実施例１では１２５点）の貸出が実施され、前記遊技持点表示部１０７に「１２５」点が表示されるとともに、前記表示されているガード残額からは該貸し出された１２５点に該当する金額である５００円が減額されて表示が更新される。遊技者は遊技持点表示部１０７に残数が存在する段階において、前述のように該遊技持点を使用して遊技を行うことができる。」
　（エ）「【００６３】次いで、会員カードを使用して遊技を行う場合の動作について説明すると、まず会員カードであるＩＣカードを前記カードユニット３のＩＣカード挿入口５に挿入すると、該会員カードからは前記ビジターカードと同様にカードの種別情報がＩＣカードリーダライタ４５により読み出されるとともに、該会員カードであるＩＣカード３７に記録されている暗証番号、プリペイド残額、貯蓄持点データとが読み出されて前記記憶部５２に記憶されるとともに、前記ＭＰＵ５０を介して持点用制御マイクロコンピュータ５５に出力される。
【００６４】この出力に基づき該持点用制御マイクロコンピュータ５５は、まず下段操作部６２を起動させ、前記貯蓄得点表示部１１４の表示を点滅させて前記テンキ−入力部１１３よりの暗証番号の入力を促す。
【００６５】該貯蓄得点表示部１１４の点滅点灯により下段操作部６２の起動を認知した遊技者は、該テンキ−入力部１１３を操作して４桁の暗証番号を順次入力し、該入力番号が貯蓄得点表示部１１４に表示される。この表示された入力番号を確認した後、遊技者はテンキ−入力部１１３に設けられている決定キ−を操作し、該入力番号に誤りがあれば取消キ−を操作して再度入力を実施する。
【００６６】これら入力された４桁の暗証番号は、前記持点用制御マイクロコンピュータ５５において照合され、該照合が一致した場合には前記会員カ−ドより読み出された前記プリペイド残額、貯蓄持点データがそれぞれカ−ド残高表示部１０６並びに貯蓄持点表示部１１４にそれぞれ表示される。
【００６７】この段階において、遊技者がプリペイド残額を用いて遊技を実施したい場合は、前記プリペイドカ−ド（ビジターカード）と同様に、上段操作部６０を操作して遊技を実施することができ、遊技者が貯蓄持点を用いて遊技を実施したい場合は、前記テンキ−入力部１１３より一度に払い戻されて再度遊技に供される持点数である再使用単位を入力、例えば１００点を入力し、次いで前記再プレイボタンを操作する。
【００６８】該操作により、前記貯蓄持点表示部１１４に表示された貯蓄持点からは、前記再使用単位である１００点に手数料である２０点が加算された１２０点が減算されて表示が更新されるとともに、前記上段操作部６０の遊技持点表示部１０７には１００点が加算されるようになっている。
【００６９】このようにして遊技持点表示部１０７に持点が残存する状況において、遊技者は該持点を使用して遊技を実施することができ、再度貯蓄持点の払い戻しを実施する場合には、前記操作を繰り返し実施すれば良い。」
　（オ）「【００７２】また、本実施例１において用いた前記カードユニット３は、カードの種別に関わらずプリペイド残額の追加入金が可能とされており、これら追加入金の処理状況について、例えば入金金額として千円札を使用した場合を例に説明すると、まず遊技者は前記紙幣挿入口７（硬貨の場合は硬貨投入口４）より紙幣を挿入（硬貨）すると、該紙幣（硬貨）の挿入が前記紙幣識別ユニット４６（硬貨識別ユニット４９）によって検出され、該貨幣の挿入並びに入金金額の合計金額が前記ＭＰＵ５０より持点用制御マイクロコンピュータ５５に出力され、これに基づき該投入された合計金額である１０００円がどの時点においてカ−ド残高表示部１０６に表示されているプリペイド残額に加算されて新たなカ−ド残高がカ−ド残高表示部１０６に点滅表示されるとともに、前記貸出用ＬＥＤ１０３が点滅点灯される。
【００７３】遊技者は、この入金でＯＫである場合には、前記貸出用ＬＥＤ１０３が点滅点灯されている所定時間内に貸出ボタン１０１を押圧操作することで、前記点滅表示が点灯表示に変更され、該新たなカ−ド残高が新たなプリペイド残額としてＩＣカ−ド３７に記録される。」
　（カ）「【０１１３】例えば、前記実施例では遊技用記録媒体であるビジターカードおよび会員カードとして同一の非接触ＩＣカード３７を用い、前記カードユニット３のＩＣカード挿入口をビジターカードおよび会員カードが共通して使用できるようにしているが、本発明はこれに限定されるものではなく、これらビジターカードおよび会員カードを他の記録媒体、例えば磁気カードやリライトカードや接触式ＩＣカードや該記録媒体を特定可能な識別符号（ＩＤ）等の情報が記録可能なバーコード等の所定の情報記録シンボル等がプリント可能とされた媒体等としても良く、更には、これらビジターカードおよび会員カードにお使用する記録媒体を異なるものとして、該記録媒体の種類によりビジターカードおよび会員カードの判別を実施するようにしても良い。」
　（キ）「【０１１４】また、前記各実施例では、前記ＩＣカード３７に有価価値であるプリペイド残額や貯蓄持点をデータとして記録するようにしているが、本発明はこれに限定されるものではなく、これらプリペイド残額や貯蓄持点を遊技用記録媒体を特定可能な識別符号等の情報に対応付けて管理コンピュータ等に収集、登録し、該遊技用記録媒体にはプリペイド残額や貯蓄持点の大きさを特定可能な情報として前記識別符号を記録するようにしても良い。」
　
　以上の記載事項（ア）〜（キ）によれば、引用例１には次の発明（以下、「引用発明１」という）が記載されているものと認められる。
　
　「ビジターカード及び会員カードとしてＩＣカード３７を用い、
　これら各ＩＣカード３７にはその種別を判別できるように種別データが記録されていて、ＩＣカ−ド挿入口５への挿入時において該種別データが前記ＩＣカードリーダライタ４５により読み出されることで、挿入されたＩＣカード３７の種別が特定されるようになっていて、
　ＩＣカ−ド挿入口５へビジターカードを挿入した場合には、該ビジターカードの種別情報とともに該ビジターカードに記録されているプリペイド残額データおよび景品持点データとがＩＣカードリーダライタ４５により読み出され、
　ＩＣカ−ド挿入口５へ会員カードを挿入した場合には、該会員カードの種別情報とともに、該会員カードに記録されているプリペイド残額、貯蓄持点データとがＩＣカードリーダライタ４５により読み出され、
　読み出された各データを用いて貸出が実施されて遊技を実施することができ、
　カードの種別に関わらずプリペイド残額の追加入金が可能とされており、紙幣挿入口７（硬貨の場合は硬貨投入口４）より紙幣（硬貨）を挿入すると、該紙幣（硬貨）の挿入が紙幣識別ユニット４６（硬貨識別ユニット４９）によって検出され、投入された入金金額の合計金額がプリペイド残額に加算されて新たなカ−ド残高が新たなプリペイド残額としてＩＣカ−ド３７に記録され、
　通信ケーブル４８を介して管理コンピュータとのデータ通信を行うための通信部４７、
　を備えるカードユニット３。」
　
　また、当審で通知した拒絶の理由に引用した、特開２０００−２４５９２４号公報（以下、「引用例２」という）には、図面とともに、以下の事項が記載されている。
　
　（ａ）「【００８８】これらプリペイドカードを用いての遊技状況について以下に説明すると、遊技者がプリペイドカードをＩＣカード挿入口１１２に挿入すると、前記ＩＣカードリーダライタ１５４にて該挿入されたＩＣカード１３７より該カードのＩＤおよび前記普通度数と特別度数とが読み出される。
【００８９】これら読み出されたデータは前記記憶部１５２に一時記憶されるとともに、前記通信部１４７および通信ケーブル１４８を介して前記管理コンピュータ１４９に送信される。該送信に基づき管理コンピュータ１４９は、送信されてきた識別情報（ＩＤ）に対応付けられて登録されている普通度数と特別度数とを送信されてきた普通度数と特別度数と比較し、双方のデータが一致した場合に前記プリペイドカードの使用許諾を返信し、該比較が一致しない場合には前記プリペイドカードの排出指示を返信する。」
　（ｂ）「【０１２２】このように、各貯蓄持ち点が記録された前記会員カ−ドを用いての遊技について以下に説明すると、遊技者は遊技を行いたいパチンコ台２に連結されているカードユニット１０３のＩＣカード挿入口１１２に前記会員カードを挿入するとともに、前記入力部１０５より暗証番号を入力して前記決定ボタン１０６を操作する。該挿入された会員カード（ＩＣカード１３７）からは、前記ＩＣカードリーダライタ１５４によって該カ−ドに付与、記録されたＩＤおよび前記普通貯蓄持ち点と前記特別貯蓄持ち点とが読み出される。
【０１２３】これら暗証番号デ−タ並びに読み出されたデータは前記記憶部１５２に一時記憶されるとともに、前記通信部１４７および通信ケーブル１４８を介して前記管理コンピュータ１４９に送信される。該送信に基づき管理コンピュータ１４９は、送信されてきたＩＤに対応付けられて登録されている暗証番号並びに普通貯蓄持ち点と特別貯蓄持ち点とを送信されてきた暗証番号並びに普通貯蓄持ち点、特別貯蓄持ち点とそれぞれ比較し、双方のデータが一致した場合に前記会員カ−ドの使用許諾を返信し、該比較が一致しない場合には前記会員カ−ドの排出指示を返信する。」
　（ｃ）「【０１５０】・・・更には前記各デ−タをＩＣカード３７に付与された識別情報である前記ＩＤとともに管理コンピュ−タ４９にのみ登録し、該ＩＤにより前記各度数データや各貯蓄持ち点デ−タ、並びに精算持ち点等の各デ−タの大きさを特定可能とするようにしても良い。」
　
　そして、上記記載事項（ａ）及び（ｂ）について（ｃ）に示唆される構成を適用すると、引用例２には次の発明（以下、「引用発明２」という）が記載されているものと認められる。
　
　「プリペイドカードをＩＣカード挿入口１１２に挿入すると、該カードのＩＤが読み出され、通信部１４７および通信ケーブル１４８を介して管理コンピュータ１４９に送信され、該送信に基づき管理コンピュータ１４９は、送信されてきたＩＤに対応付けられて登録されている普通度数と特別度数とを特定し、
　会員カードをＩＣカード挿入口１１２に挿入すると、該カードのＩＤが読み出され、通信部１４７および通信ケーブル１４８を介して管理コンピュータ１４９に送信され、該送信に基づき管理コンピュータ１４９は、送信されてきたＩＤに対応付けられて登録されている普通貯蓄持ち点と特別貯蓄持ち点とを特定するカードユニット１０３。」
　
４　対比
　本願発明と引用発明１を比較する。
　引用発明１の「ＩＣカード３７」は本願発明の「記録媒体」に相当し、以下同様に、「ビジターカード及び会員カード」は「第１及び第２の記録媒体」に、「紙幣」及び「硬貨」は「貨幣」に、「紙幣挿入口７（硬貨の場合は硬貨投入口４）」及び「紙幣識別ユニット４６（硬貨識別ユニット４９）」は「貨幣を受け付けて金種を判定する貨幣受付手段」に、「管理コンピュータ」は「管理装置」に、「通信部４７」は「通信手段」に、「カードユニット３」は「遊技媒体貸出装置」にそれぞれ相当し、さらに以下のことが言える。
　（い）引用発明１では「各ＩＣカード３７にはその種別を判別できるように種別データが記録されていて、ＩＣカ−ド挿入口５への挿入時において該種別データが前記ＩＣカードリーダライタ４５により読み出されることで、挿入されたＩＣカード３７の種別が特定されるようになってい」ることから、引用発明１は本願発明の「受け入れられた記録媒体の種類を判定する種類判定手段」を実質的に備えている。
　（ろ）引用発明１の「ＩＣカ−ド挿入口５」は、ビジターカード及び会員カードを挿入するものであり、本願発明の「少なくとも２種類の第１及び第２の記録媒体」を受け入れる「共通の挿入口」に対応する。
　（は）引用発明１の「ビジターカードに記録されているプリペイド残額データおよび景品持点データ」及び「会員カードに記録されているプリペイド残額、貯蓄持点データ」について、各データは本願発明の「有価価値」に相当し、ビジターカード及び会員カード（第１及び第２の記録媒体）には各データ（有価価値）の記憶手段を備えていることは明らかであるから、引用発明１では、「第１及び第２の記録媒体」が「第１の有価価値記憶手段」及び「第２の有価価値記憶手段」を実質的に備えている。
　（に）引用発明１において「貸出が実施され」ることは、本願発明において「遊技媒体を遊技機に対して投出する」こと、及び「玉貸し処理を行う」ことに他ならず、引用発明１がかかる玉貸し処理を行う「制御手段」を備えていることも自明である。
　（ほ）引用発明１では「カードの種別に関わらずプリペイド残額の追加入金が可能とされ」ていることから、挿入されたＩＣカード３７がビジターカード（又は会員カード）であると特定された状態で追加入金がされると、該ビジターカード（又は会員カード）のプリペイド残額に入金金額の合計金額が加算されることは自明である。よって、引用発明１の「カードの種別に関わらずプリペイド残額の追加入金が可能とされており、紙幣挿入口７（硬貨の場合は硬貨投入口４）より紙幣（硬貨）を挿入すると、該紙幣（硬貨）の挿入が紙幣識別ユニット４６（硬貨識別ユニット４９）によって検出され、投入された入金金額の合計金額がプリペイド残額に加算されて新たなカ−ド残高が新たなプリペイド残額としてＩＣカ−ド３７に記録され」る事項は、本願発明の「受け付けた記録媒体が前記種類判定手段によって第１の記録媒体であると判定された状態で前記貨幣受付手段が貨幣を受け付けると」、「第１の有価価値記憶手段に記憶される有価価値を前記貨幣価値分加算更新させ」、「第２の記録媒体であると判定された状態で前記貨幣受付手段が貨幣を受け付けると」、「第２の有価価値記憶手段に記憶される有価価値を前記貨幣価値分加算更新させる」事項に対応するものであり、引用発明１がかかる更新を行う「制御手段」を備えていることも自明である。
　
　したがって、両者は、
　「記録媒体を受け入れ、該受け入れた記録媒体によって特定される有価価値に基づいて遊技媒体を遊技機に対して投出する遊技媒体貸出装置において、
　少なくとも２種類の第１及び第２の記録媒体を共通の挿入口を介して受け入れて、これら第１及び第２の記録媒体に記録された記録データを読み取る記録媒体データ読取手段と、
　受け入れられた記録媒体の種類を判定する種類判定手段と、
　貨幣を受け付けて金種を判定する貨幣受付手段と、
　管理装置と通信する通信手段と、
　受け付けた記録媒体が前記種類判定手段によって第１の記録媒体であると判定されると、第１の有価価値記憶手段から有価価値を呼び出し、第２の記録媒体であると判定されると、第２の有価価値記憶手段から有価価値を呼び出して、該呼び出された有価価値を使用して玉貸し処理を行うとともに、
　受け付けた記録媒体が前記種類判定手段によって第１の記録媒体であると判定された状態で前記貨幣受付手段が貨幣を受け付けると、第１の有価価値記憶手段に記憶される有価価値を前記貨幣価値分加算更新させ、第２の記録媒体であると判定された状態で前記貨幣受付手段が貨幣を受け付けると、第２の有価価値記憶手段に記憶される有価価値を前記貨幣価値分加算更新させる制御手段と、
　を備える遊技媒体貸出装置。」
で一致し、以下の点で相違する。
　
（相違点）
　第１及び第２の有価価値記憶手段が、本願発明では、管理装置に設けられ、第１及び第２の記録媒体に記録されるデータに関連づけて有価価値を記憶しているのに対して、引用発明では、第１及び第２の記録媒体に設けられている点。
　
５　当審の判断
　本願発明と引用発明２を比較すると、引用発明２の「プリペイドカード」及び「会員カード」は本願発明の「第１の記録媒体」及び「第２の記録媒体」に相当し、以下同様に、「管理コンピュータ１４９」は「管理装置」に、「ＩＤ」は「データ」に、「登録」は「記憶」に、「普通度数と特別度数」及び「普通貯蓄持ち点と特別貯蓄持ち点」は「有価価値」に、「カードユニット１０３」は「遊技媒体貸出装置」にそれぞれ相当する。また、管理コンピュータ１４９（管理装置）が「普通度数と特別度数」及び「普通貯蓄持ち点と特別貯蓄持ち点」（有価価値）を登録（記憶）するための「有価価値記憶手段」を備えていることは明らかあり、また、「普通度数と特別度数」及び「普通貯蓄持ち点と特別貯蓄持ち点」のように性質の異なるデータは別個の記憶手段に記憶するのが常套手段であるから、引用発明２の管理コンピュータ１４９（管理装置）は「第１の有価価値記憶手段」及び「第２の有価価値記憶手段」を実質的に備えていると言える。よって、引用発明２は「管理装置に第１及び第２の有価価値記憶手段を設け、第１及び第２の記録媒体に記録されるデータに関連づけて有価価値を記憶する遊技媒体貸出装置」の発明とすることができる。
　そして、引用発明１及び引用発明２は、何れも遊技媒体貸出装置に関するもので共通しているから、引用発明１に引用発明２を適用して、上記相違点にかかる本願発明のように構成することは、当業者であれば容易になしえるものである。
　また、本願発明の作用効果も、引用発明１及び引用発明２から当業者が予測できる範囲のものである。
　
６　むすび
　したがって、本願発明は、引用発明１及び引用発明２に基づいて当業者が容易に発明をすることができたものであるから、特許法第２９条第２項の規定により特許を受けることができないものであり、本願の他の請求項に係る発明について検討するまでもなく、本願は拒絶すべきものである。
　よって、結論のとおり審決する。